(57)【特許請求の範囲】
【請求項１】
被写体を撮像してその静止画像を記録する電子カメラにおいて、
前記電子カメラは、該電子カメラによる単独撮影の開始を指示する第１のレリーズ信号を出力する第１のレリーズ手段と、
第１の駆動信号を受け、第１の駆動信号に応じて電子シャッタを所定時間にわたって開放状態にして前記被写体に応じた電荷をセルアレイに蓄積し、第２の駆動信号を受け該蓄積した電荷に応じた少なくとも１フィールドのアナログ映像信号を読み出すことのできるピニング動作が可能な撮像手段と、
前記被写体を該電子カメラおよび銀塩カメラにより同時撮影させる同時モードと、該電子カメラだけの単独撮影させる単独モードとのいずれかのモードを制御手段にモード指定信号として供給するモード指定手段と、
前記被写体に対する撮影の開始タイミングが該電子カメラの外部に配された第２のレリーズ手段から該電子カメラに供給される外部刺激信号および前記制御手段から前記モードを表す制御信号を入力し、前記モードが前記同時モードにて前記外部刺激信号の極性反転させた第１のパルス信号を前記制御手段および信号発生手段にそれぞれ撮影制御信号として出力し、前記モードが前記単独モードにて第１のレリーズ信号に応じた内部撮影指示信号を入力し、該内部撮影指示信号の極性反転させた第２のパルス信号を撮影制御信号として前記信号発生手段に出力する撮影制御手段と、
該撮影制御信号に同期した第１の駆動信号および前記蓄積した電荷を読み出すクロックに同期した第２の駆動信号を、それぞれ発生する信号発生手段と、
前記モード指定信号を入力し、該モード指定信号が示すモードに応じて前記撮影制御手段に対しモードを規定する前記制御信号を供給し、前記同時モードで前記撮影制御手段からの第１のパルス信号の入力と、前記単独モードで前記撮影制御手段への前記内部撮影指示信号の出力とを、それぞれ前記撮影制御手段の間に配する単一の信号線を介して行ない、内部閃光がオンのとき第１のパルス信号または第１のレリーズ信号の入力に応じて内部発光制御信号を生成させ、該電子カメラ全体を制御する制御手段とを含み、
前記信号発生手段は、前記撮影制御信号の入力に応じて第１の駆動信号を前記撮像手段に供給して前記電子シャッタを開放状態にして前記被写体を撮影させ、続いて該電子シャッタが第１の駆動信号により閉状態になったときに、その時から後に現われる基準発振手段の出力に同期した同期信号の所定の位置から開始され該同期信号に同期した第２の駆動信号を該撮像手段に供給してそのセルアレイに蓄積した少なくとも、１フィールドのアナログ映像信号を読み出させることを特徴とする電子カメラ。
【請求項２】
請求項１に記載の前記電子カメラおよび銀塩カメラを備えたカメラシステムであって、該カメラシステムは、前記銀塩カメラにおける撮影の開始を指示する第２のレリーズ信号を出力する第２のレリーズ手段を有し、
前記銀塩カメラは、第２のレリーズ信号を受け、第２のレリーズ信号に同期したシャッタを開閉する第３の駆動信号を出力するシャッタ制御手段を含み、
前記電子カメラは、前記モード指定信号が前記同時モードを示すとき前記制御信号を前記制御手段から前記撮影制御手段に送り、前記銀塩カメラから前記撮影制御手段に供給される前記外部刺激信号に応じて第１のパルス信号に同期させて前記被写体を撮影し、
前記銀塩カメラは、前記シャッタ制御手段にて第２のレリーズ信号を受けて前記シャッタに第３の駆動信号を供給して該シャッタを開放状態にして前記被写体を前記電子カメラと同時に撮影することを特徴とすることを特徴とするカメラシステム。
【請求項３】
請求項２に記載のシステムにおいて、該システムは、
前記銀塩カメラに供給される第２のレリーズ信号に同期したタイミング制御信号を生成し、該タイミング制御信号を前記外部刺激信号として出力する発光制御手段と、
前記タイミング制御信号に応じて閃光発光する発光手段とを含むことを特徴とすることを特徴とするカメラシステム。
【請求項４】
請求項１に記載の前記電子カメラおよび銀塩カメラを備えたカメラシステムであって、該カメラシステムは、前記銀塩カメラにおける撮影の開始を指示する第２のレリーズ信号を出力する第２のレリーズ手段を有し、
前記銀塩カメラは、第２のレリーズ信号を受け、第２のレリーズ信号に同期したシャッタを開閉する第３の駆動信号を出力するシャッタ制御手段と、
前記供給される第２のレリーズ信号に同期した閃光発光させるタイミング制御信号を生成する発光制御手段と、
前記タイミング制御信号に応じて閃光発光する発光手段とを含み、
該電子カメラは、前記発光手段による前記閃光発光が前記被写体で反射した光を受光し、該受光に同期して変換された電気信号を前記外部刺激信号として前記撮影制御手段に出力する閃光同期手段を含み、
前記電子カメラは、前記モード指定信号が前記同時モードを示すとき前記制御信号を前記制御手段から前記撮影制御手段に送り、前記閃光同期手段から前記撮影制御手段に供給される前記外部刺激信号に応じた第１のパルス信号に同期させて前記被写体を撮影し、
前記銀塩カメラは、前記シャッタ制御手段にて第２のレリーズ信号を受けて前記シャッタに前記シャッタ制御信号を供給して該シャッタを開放状態にさせ、前記発光制御手段にて第２のレリーズ信号を受けて前記発光手段に前記タイミング制御信号を供給して発光させ、前記被写体を前記電子カメラと同時に撮影することを特徴とすることを特徴とするカメラシステム。
【請求項５】
請求項１に記載の前記電子カメラおよび銀塩カメラを備えたカメラシステムであって、該カメラシステムは、前記銀塩カメラにおける撮影の開始を指示する第２のレリーズ信号を出力する第２のレリーズ手段を有し、
前記電子カメラは、前記信号発生手段から同期信号を基に少なくとも、前記信号発生手段が第２の駆動信号を前記撮像手段に出力する期間以外の期間を撮影許可する許可信号を生成し、該生成した許可信号を出力する許可信号発生手段を含み、
さらに、該システムにおける第２のレリーズ手段は、第２のレリーズ手段に対する押圧操作に応じて操作信号を生成する手段と、
該操作信号と前記許可信号発生手段から供給される許可信号との論理積を演算する論理演算手段とを含み、第２のレリーズ手段は、該論理演算手段からの出力を許可された第２のレリーズ信号として前記銀塩カメラおよび該電子カメラのそれぞれに出力し、
前記銀塩カメラは、第２のレリーズ信号に同期したシャッタを開閉する第３の駆動信号を出力するシャッタ制御手段と、
前記供給される第２のレリーズ信号に同期した閃光発光させるタイミング制御信号を生成し、出力する発光制御手段と、
前記タイミング制御信号に応じて閃光発光する発光手段とを含み、
前記電子カメラは、前記モード指定信号が前記同時モードを示すとき前記制御信号を前記制御手段から前記撮影制御手段に送り、前記撮影制御手段に供給される前記許可された第２のレリーズ信号に応じた第１のパルス信号に同期させて前記被写体を撮影し、
前記銀塩カメラは、前記シャッタ制御手段にて前記許可された第２のレリーズ信号を受けて前記シャッタに第３の駆動信号を供給して該シャッタを開放状態にさせ、前記発光制御手段にて第２のレリーズ信号を受けて前記発光手段に前記タイミング制御信号を供給して発光させ、前記被写体を前記電子カメラと同時に撮影することを特徴とするカメラシステム。
【請求項６】
請求項１に記載の電子カメラにおいて、前記制御手段は、CPU（Central Processing Unit）を含み、前記信号線は該CPU の一つの入出力ポートに接続されることを特徴とする電子カメラ。
【請求項７】
請求項２ないし５のいずれか一項に記載のカメラシステムにおいて、前記制御手段は、CPU（Central Processing Unit）を含み、前記信号線は該CPU の一つの入出力ポートに接続されることを特徴とするカメラシステム。
【請求項８】
請求項１に記載の電子カメラにおいて、前記撮像手段は、CCD（Charge Coupled Device）であることを特徴とする電子カメラ。
【請求項９】
請求項２ないし５のいずれか一項に記載のカメラシステムにおいて、前記撮像手段は、CCD（Charge Coupled Device）であることを特徴とするカメラシステム。
【請求項１０】
請求項１に記載の電子カメラにおいて、第２の駆動信号は、少なくとも、垂直同期信号および水平同期信号のいずれか一方に同期した信号であることを特徴とする電子カメラ。
【請求項１１】
請求項２ないし５のいずれか一項に記載のシステムにおいて第２の駆動信号は、少なくとも、垂直同期信号および水平同期信号のいずれか一方に同期した信号であることを特徴とするカメラシステム。
【請求項１２】
請求項１に記載の電子カメラにおいて、前記第２のレリーズ手段は、前記銀塩カメラに含まれることを特徴とする電子カメラ。
【請求項１３】
請求項２ないし５のいずれかに記載のシステムにおいて、第２のレリーズ手段は、前記銀塩カメラの外部に配設されていることを特徴とするカメラシステム。
【発明の詳細な説明】
【０００１】
【産業上の利用分野】
本発明は電子カメラに関し、とくにたとえば写真館などで銀塩カメラと同時撮影を行なうのに好適な電子カメラに関するものである。
【０００２】
【従来の技術】
従来の電子カメラによるストロボ撮影では、タイミング発生回路が固体撮像素子、たとえばCCD （電荷結合デバイス）を駆動する露光用のタイミング信号などを発生し、このタイミング信号をCPU(Central Processing Unit)が所定のタイミングで受けてストロボ駆動用のパルスを生成し、その駆動パルスをストロボに送る回路構成をとっている。
【０００３】
また従来の電子カメラによるスチル撮影では、たとえばCCD の露光タイミングは主に垂直同期信号により制御されている。そのため電子カメラと銀塩カメラの双方で、たとえば同じ被写体を同時に撮影する場合には、この銀塩カメラの露光タイミングを電子カメラの上記垂直同期信号に同期させる必要があった。
【０００４】
【発明が解決しようとする課題】
しかしながら、従来の電子カメラは、たとえばCPU が露光用のタイミング信号を受けるポートとは別のポートからストロボ用のタイミング信号を受けてストロボ撮影を行なっている。そのためCPU は、受けたストロボ用のタイミング信号に応動してストロボ発光用のパルスを生成し、生成した発光パルスをその内部のストロボに送っているが、その生成した発光パルスとタイミング発生回路からの露光用のタイミングにずれが起きるという問題があった。また、CPU がストロボ用のタイミングを受けつけるタイミングにない、つまりCPU が他の処理を行なっている場合には、その生成処理がさらに待たされるという問題もあった。
【０００５】
また、上記したように、銀塩カメラと電子カメラの双方のカメラによる撮影では、露光およびストロボタイミングは、電子カメラ側の垂直同期信号に同期させなければならず、そのためシャッタ側に複雑な回路構成の同期装置が必要になるという問題があった。
【０００６】
本発明はこのような従来技術の欠点を解消し、簡単な回路でタイムラグなく同時撮影、および簡単な回路でタイムラグなく電子カメラ側の信号に同期して同期同時撮影のできる電子カメラを提供することを目的とする。
【０００７】
【課題を解決するための手段】
本発明は上述の課題を解決するために、被写体を撮像してその静止画像を記録する電子カメラにおいて、この電子カメラによる単独撮影の開始を指示する第１のレリーズ信号を出力する第１のレリーズ手段と、第１の駆動信号を受け電子シャッタを開放状態にして被写体に応じた電荷をセルアレイに蓄積し、第２の駆動信号を受け蓄積した電荷に応じた少なくとも１フィールドのアナログ映像信号を読み出すことのできるピニング動作が可能な撮像手段と、第１の入力端子から同時撮影の開始を指示する外部刺激信号を受け、この受けた外部刺激信号を第１の制御線に出力し、第２の制御線を介して第２の入力端子から第３のレリーズ信号を受け、第３の入力端子から同時撮影または単独撮影のいずれかを選択する選択信号を受け、この選択信号が同時撮影を示すものであればこの受けた外部刺激信号を第２の入力端子を介して第２の制御線に出力し、また単独撮影を示すものであれば第３のレリーズ信号を第１の制御線に出力する同時撮影制御手段と、第１の制御線に接続され、第１の制御線から外部刺激信号または第３のレリーズ信号を受け、受けた信号に同期した電子シャッタを開閉する第１の駆動信号を出力するとともに、第１の駆動信号と非同期の同期信号を発生する基準信号発生手段を含み、同期信号に同期した第２の駆動信号を出力する同期信号発生手段と、第２の制御線からの外部刺激信号を受け、この刺激信号に応動して電子カメラ全体の制御を行なうとともに、第１のレリーズ手段から第１のレリーズ信号を受け、このレリーズ信号に応動して第３のレリーズ信号を第２の制御線に出力するとともに、電子カメラ全体の制御を行なう制御手段とを有し、この制御手段は同時撮影制御手段に同時撮影を示す選択信号を送り、同期信号発生手段は、外部刺激信号を受けた時に第１の駆動信号を撮像手段に供給して電子シャッタを開放状態にして被写体の撮影を行なわせ、続いて電子シャッタが第１の駆動信号により閉状態になった時に、その時から後に現われる同期信号の所定の位置から開始されこの同期信号に同期した第２の駆動信号を撮像手段に供給してそのセルアレイに蓄積した少なくとも１フィールドのアナログ映像信号を読み出させることを特徴とする。
【０００８】
この電子カメラはさらに、銀塩カメラと電子カメラの双方に同時撮影の開始を指示する第２のレリーズ信号を出力する第２のレリーズ手段を有し、銀塩カメラは、第２のレリーズ信号を受け、このレリーズ信号に同期したシャッタを開閉する第３の駆動信号を出力するシャッタ制御手段を含み、同時撮影制御手段は、第１の入力端子から外部刺激信号として第２のレリーズ手段から第２のレリーズ信号を受け、同期信号発生手段は、第１の制御線から第２または第３のレリーズ信号を受け、制御手段は、第２の制御線からの第２のレリーズ信号を受け、このレリーズ信号に応動して電子カメラ全体の制御を行ない、この制御手段は同時撮影制御手段に同時撮影を示す選択信号を送り、シャッタ制御手段は、第２のレリーズ信号を受けた時にシャッタに第３の駆動信号を供給してシャッタを開放状態にして被写体の撮影を行なわせ、同期信号発生手段は、この第２のレリーズ信号を受けた時に第１の駆動信号を前記撮像手段に供給して電子シャッタを開放状態にして被写体の撮影を行なわせ、続いて電子シャッタが第１の駆動信号により閉状態になった時に、その時から後に現われる同期信号の所定の位置から開始されこの同期信号に同期した第２の駆動信号を該撮像手段に供給してそのセルアレイに蓄積した少なくとも１フィールドのアナログ映像信号を読み出させることを特徴とする。
【０００９】
この電子カメラはさらに、銀塩カメラは、第２のレリーズ手段から第２のレリーズ信号を受け、このレリーズ信号に同期して発光を行なわせるタイミングの発光信号を出力するストロボ制御手段と、ストロボ制御手段からの発光信号に応動して被写体に向けて発光する発光手段とを含み、同時撮影制御手段は、第１の入力端子から外部刺激信号としてストロボ制御手段から発光信号を受け、同期信号発生手段は、第１の制御線から発光信号または第３のレリーズ信号を受け、制御手段は、第２の制御線からの発光信号を受け、この発光信号に応動して電子カメラ全体の制御を行ない、この制御手段は、同時撮影制御手段に同時撮影を示す選択信号を送り、シャッタ制御手段は、第２のレリーズ信号を受けた時にシャッタに第３の駆動信号を供給してシャッタを開放状態にさせるとともに、ストロボ制御手段は、この第２のレリーズ信号を受けた時に発光手段に発光信号を供給して発光させ被写体の撮影を行なわせ、同期信号発生手段は、この発光信号を受けた時に第１の駆動信号を撮像手段に供給してその電子シャッタを開放状態にして被写体の撮影を行なわせ、続いて電子シャッタが第２の駆動信号により閉状態になった時に、その時から後に現われる同期信号の所定の位置から開始されこの同期信号に同期した第２の駆動信号を撮像手段に供給してそのセルアレイに蓄積した少なくとも１フィールドのアナログ映像信号を読み出させることを特徴とする。
【００１０】
この電子カメラはさらに、被写体への発光による反射光を受け、この反射光に同期した発光同期信号を出力する発光同期手段を含み、同時撮影制御手段は、第１の入力端子から外部刺激信号として発光同期手段から発光同期信号を受け、同期信号発生手段は、第１の制御線から発光同期信号または第３のレリーズ信号を受け、制御手段は、第２の制御線からの発光同期信号を受け、発光同期信号に応動して電子カメラ全体の制御を行ない、この制御手段は、同時撮影制御手段に同時撮影を示す選択信号を送り、シャッタ制御手段は、第２のレリーズ信号を受けた時にシャッタに第３の駆動信号を供給してシャッタを開放状態させるとともに、ストロボ制御手段は、この第２のレリーズ信号を受けた時に発光手段に発光信号を供給して発光させ被写体の撮影を行なわせ、同期信号発生手段は、発光手段の発光による発光同期手段からの発光同期信号を受けた時に第１の駆動信号を撮像手段に供給してその電子シャッタを開放状態にして被写体の撮影を行なわせ、続いて電子シャッタが第１の駆動信号により閉状態になった時に、その時から後に現われる同期信号の所定の位置から開始されこの同期信号に同期した第２の駆動信号を撮像手段に供給してそのセルアレイに蓄積した少なくとも１フィールドのアナログ映像信号を読み出させることを特徴とする。
【００１１】
この電子カメラはさらに、第２のレリーズ手段は、許可信号を受け、この許可信号が第２のレリーズ信号を出力させることを示している期間のみこの第２のレリーズ信号を出力する手段を含み、電子カメラは、この第２のレリーズ手段から第２のレリーズ信号を受け、同期信号発生手段から同期信号を受け、これら受けた信号から少なくとも同期信号発生手段が第２の駆動信号を撮像手段に出力している期間以外の期間を撮影可能とする許可信号を生成し、生成した許可信号を出力する許可信号発生手段を含み、制御手段は同時撮影制御手段に同時撮影を示す選択信号を送り、シャッタ制御手段は、許可信号により許可を受けた第２のレリーズ信号を受けた時にシャッタに第３の駆動信号を供給してシャッタを開放状態にして被写体の撮影を行なわせ、同期信号発生手段は、この第２のレリーズ信号を受けた時に第１の駆動信号を撮像手段に供給して電子シャッタを開放状態にして被写体の撮影を行なわせ、続いて電子シャッタが第１の駆動信号により閉状態になった時に、その時から後に現われる同期信号の所定の位置から開始されこの同期信号に同期した第２の駆動信号を撮像手段に供給してそのセルアレイに蓄積した少なくとも１フィールドのアナログ映像信号を読み出させることを特徴とする。
【００１２】
本明細書において用語「銀塩カメラ」とは、感光体に銀塩写真フィルムを使用するカメラを総称する。
【００１３】
【作用】
本発明による電子カメラによれば、同時撮影制御手段は外部刺激信号を受け、制御手段から同時撮影を示す選択信号を受けているからこの外部刺激信号を第１の制御線に出力する。同期信号発生手段は第１の制御線上に現れた外部刺激信号を受け、基準信号発生手段の同期信号に同期しない、この外部刺激信号に同期した第１の駆動信号を撮像手段に供給する。これにより撮像手段の電子シャッタを開放状態にし、被写体に応じた電荷をこの撮像手段のセルアレイに蓄積する。この撮像手段のセルアレイには外部刺激信号の露光タイミングによる映像信号が蓄積される。また、制御手段は、電子カメラにより単独撮影を行なうときに出力する第３のレリーズ信号を出力するのと同じ第２の制御線上に現れた外部刺激信号を受信したらすぐに、電子カメラ全体の制御を行なう。
【００１４】
本発明による電子カメラによればまた、シャッタ制御手段は、第２のレリーズ手段からの第２のレリーズ信号に同期した第３の駆動信号を銀塩カメラのシャッタに供給してこのシャッタを開放状態にして銀塩カメラのフィルムの露光を行なう。同時撮影制御手段は、この第２のレリーズ信号を同時に受け、制御手段から同時撮影を示す選択信号を受けているからこの第２のレリーズ信号を第１の制御線に出力する。同期信号発生手段は、第１の制御線上に現れた第２のレリーズ信号を受信し、基準信号発生手段の同期信号に同期しない、この第２のレリーズ信号に同期した第１の駆動信号を撮像手段に供給する。これにより撮像手段の電子シャッタを開放状態にし、被写体に応じた電荷をこの撮像手段のセルアレイに蓄積する。この撮像手段のセルアレイには銀塩カメラのフィルムを露光する第２のレリーズ信号と同じタイミングによる映像信号が蓄積される。つまり銀塩カメラと電子カメラは、同じ露光タイミングの静止画像を得ることができる。また、制御手段は、第２の制御線上に現れた第２のレリーズ信号を受信したらすぐに、電子カメラ全体の制御を行なう。
【００１５】
本発明による電子カメラによればまた、シャッタ制御手段は第２のレリーズ手段からのレリーズ信号に同期した第３の駆動信号を銀塩カメラのシャッタに供給してこのシャッタを開放状態するとともに、ストロボ制御手段は、この第２のレリーズ信号を受けた時に発光手段に発光信号を供給して発光し銀塩カメラのフィルムの露光を行なう。同時撮影制御手段は、この発光信号を同時に受け、制御手段から同時撮影を示す選択信号を受けているからこの発光信号を第１の制御線に出力する。同期信号発生手段は、第１の制御線上に現れた発光信号を受信し、基準信号発生手段の同期信号に同期しない、この発光信号に同期した第１の駆動信号を撮像手段に供給する。これにより撮像手段の電子シャッタを開放状態にし、被写体に応じた電荷をこの撮像手段のセルアレイに蓄積する。この撮像手段のセルアレイには、銀塩カメラのフィルムをストロボ露光する発光タイミングによる映像信号が蓄積される。つまり銀塩カメラと電子カメラは、同じ露光タイミングの静止画像を得ることができる。また制御手段は、第２の制御線上に現れた発光信号を受信したらすぐに、電子カメラのストロボを発光させるとともに電子カメラ全体の制御を行なう。
【００１６】
本発明による電子カメラによればまた、シャッタ制御手段は第２のレリーズ手段からのレリーズ信号に同期した第３の駆動信号を銀塩カメラのシャッタに供給してこのシャッタを開放状態するとともに、ストロボ制御手段は、この第２のレリーズ信号を受けた時に発光手段に発光信号を供給して発光し銀塩カメラのフィルムの露光を行なう。同時撮影制御手段は、発光手段の発光による発光同期手段からの発光同期信号を受け、制御手段から同時撮影を示す選択信号を受けているからこの発光同期信号を第１の制御線に出力する。同期信号発生手段は、第１の制御線上に現れた発光同期信号を受信し、基準信号発生手段の同期信号に同期しない、この発光同期信号に同期した第１の駆動信号を撮像手段に供給する。これにより撮像手段の電子シャッタを開放状態にし、被写体に応じた電荷をこの撮像手段のセルアレイに蓄積する。この撮像手段のセルアレイには、銀塩カメラのフィルムをストロボ露光する発光タイミングによる映像信号が蓄積される。つまり銀塩カメラと電子カメラは同じ露光タイミングの静止画像を得ることができる。また制御手段は、第２の制御線上に現れた発光同期信号を受信したらすぐに、電子カメラのストロボを発光させるとともに電子カメラ全体の制御を行なう。
【００１７】
本発明による電子カメラによればまた、第２のレリーズ手段は許可信号発生手段からの許可信号により許可を受けたこの許可信号に同期した第２のレリーズ信号をシャッタ制御手段および同時撮影制御手段に出力する。シャッタ制御手段はこの第２のレリーズ信号に同期した第３の駆動信号を銀塩カメラのシャッタに供給してこのシャッタを開放状態にして銀塩カメラのフィルムの露光を行なう。同時撮影制御手段は、この第２のレリーズ信号を同時に受け、制御手段から同時撮影を示す選択信号を受けているからこの第２のレリーズ信号を第１の制御線に出力する。同期信号発生手段は第１の制御線上に現れた第２のレリーズ信号を受信し、基準信号発生手段の同期信号に同期しない、この第２のレリーズ信号に同期した第１の駆動信号を撮像手段に供給する。これにより撮像手段の電子シャッタを開放状態にし、被写体に応じた電荷をこの撮像手段のセルアレイに蓄積する。この撮像手段のセルアレイには銀塩カメラのフィルムを露光する第２のレリーズ信号のタイミングによる映像信号が蓄積される。つまり銀塩カメラと電子カメラは、許可信号に同期した同じ露光タイミングの静止画像を得ることができる。また、制御手段は、第２の制御線上に現れた許可信号に同期した第２のレリーズ信号を受信したらすぐに、電子カメラ全体の制御を行なう。
【００１８】
【実施例】
次に添付図面を参照して銀塩カメラと同時撮影できる本発明による電子カメラの実施例を詳細に説明する。
【００１９】
図２は、シャッタレリーズボタンユニット30からのシャッタレリーズ信号128 に応動して銀塩カメラ１および電子カメラ２の双方により同時にストロボ撮影を行なうシステムである。電子カメラ２は、このストロボ撮影により得られた、たとえば１フレームの映像信号を記録・再生装置３に出力してその映像信号をそれに蓄積させ、その蓄積した映像信号を記録・再生装置３で再生してその再生した映像信号の映像をモニタ装置４に送りそれに表示する。また同時に、銀塩カメラ１はこのストロボ撮影による映像を銀塩フィルムに記録する。
【００２０】
図２を参照すると、レリーズボタンユニット30は銀塩フィルムを映像記録媒体とする銀塩カメラ１と接続され、銀塩カメラ１はまた、磁気ディスクなどを映像記録媒体とする電子カメラ２と接続され、電子カメラ２は記録・再生装置３（本実施例ではNTSC方式の映像信号を記録・再生する）と接続され、記録・再生装置３はモニタ装置４（本実施例ではNTSC方式の映像信号の映像を表示する）と接続されている。
【００２１】
さらに詳細には、レリーズボタンユニット30の出力端子は、銀塩カメラ１のシャッタレリーズ信号入力端子GIN と制御線128 で接続され、レリーズボタンユニット30のボタン30a の押下によるシャッタレリーズ信号128 が銀塩カメラ１に供給される。銀塩カメラ１のストロボ発光パルス出力端子SOUTは、電子カメラ２のストロボ発光パルス入力端子SIN と制御線142 で接続され、ボタン30a の押下によるストロボ発光パルス142 が電子カメラ２に供給される。電子カメラ２と記録・再生装置３は信号線110 で接続され、電子カメラ２の撮影による映像信号がその映像出力端子VOUTから記録・再生装置３のビデオ入力端子VIN に供給される。記録・再生装置３とモニタ装置４は信号線136 で接続され、記録・再生装置３の再生映像信号がその映像出力端子VOUTからモニタ装置４のビデオ入力端子VIN に供給される。銀塩カメラ１、電子カメラ２および記録・再生装置３の詳細が図１の機能ブロック図に示されている。
【００２２】
図１を参照すると、銀塩カメラ１は、ストロボ制御回路32、ストロボ34、シャッタ制御回路36およびシャッタ38を有し、ストロボ制御回路32とシャッタ制御回路36の入力は制御線128 を介しレリーズボタンユニット30と接続されている。シャッタ制御回路36は、レリーズボタンユニット30からのシャッタレリーズ信号128 に応動してシャッタ38の開閉を制御する制御回路である。
【００２３】
ストロボ制御回路32も制御回路36と同様にシャッタレリーズ信号入力端子GIN および制御線128 を介してレリーズボタンユニット30と接続されており、ボタン30a の押下により図４ａに示すシャッタレリーズ信号128 がストロボ制御回路32に供給される。ストロボ制御回路32は、レリーズボタンユニット30から送られてくるシャッタレリーズ信号128 に応動して発光パルスを生成する回路である。この生成した発光パルスを出力142 から出力する。発光パルス142 は具体的には、図４ｄに示すように図４ａのパルスの立ち下がりの時刻t0にて高レベルになり時刻t2で低レベルになる信号で、この時刻t0から時刻t2までの時間tsは発光継続時間である。ストロボ制御回路32の出力142 は、ストロボ34の入力と、ストロボ発光パルス出力端子SOUTに接続されている。ストロボ34は、たとえばXe発光管からなり、ストロボ制御回路32からの発光パルス142 を受け発光する機能部である。なお、ストロボ34をコンデンサと放電管で構成することで、ストロボ制御回路32をこのストロボ34の発光をトリガするストロボ発光トリガ回路、またはストロボ発光トリガ回路および発光時間制御回路などで構成するものでもよい。
【００２４】
図１には電子カメラ２が示され、これは、固体撮像素子10を有している。固体撮像素子10には、たとえば垂直同期信号に同期させずに、いずれのシャッタタイミングでも露光し、露光後すぐに、蓄積した電荷に基づく映像信号を読み出し、それら以外の期間では、そのホトダイオードに蓄積した電荷を直接基板側に掃出して消滅させる、つまりピニング動作が可能なCCD が適用されている。なお、このようなピニング動作が可能なCCD の詳細は本願と同じ出願人による特許出願、特開平6-113209などを参照されたい。
【００２５】
具体的には、ボタン30a の押下に基づく発光パルス142 （図４ｄ）を受けた時に、この電子カメラ２は、高速シャッタ時間の駆動信号（図４ｃ）を発生して固体撮像素子10の電子シャッタを全開状態にして被写体の１フレームの撮影を行なう。この場合、この駆動信号は同期信号発生器20内の基準発振器20b と非同期である。これに続いてすぐに、この撮影による１フレームの映像信号が固体撮像素子10から読み出されて、その映像信号の映像が最終的にはモニタ装置４に表示される。この場合、固体撮像素子10から映像信号を読み出すためのクロックや水平同期信号（図４ｆ）などは、上記基準発振器20b と同期している。したがって、駆動信号（図４ｃ）と水平同期信号（図４ｆ）は非同期の関係にある。
【００２６】
この実施例の電子カメラ２は、図１に示すように、固体撮像素子10、撮像系信号処理部12、アナログ・ディジタル(A/D) 変換器14、フレームメモリ16、ディジタル・アナログ(D/A) 変換器18、同期信号発生器20、メモリコントローラ22、システムコントローラ25、同時撮影制御回路27、シャッタレリーズボタン28およびモード選択ボタン29から構成されている。
【００２７】
固体撮像素子10は、前述したようにピニング動作が可能なCCD 撮像デバイスであり、その撮像面（図示せず）には撮像光学系（図示せず）が配設され、撮像光学系の光軸が本実施例では被写体Ｙの位置に向くように配向され、これに合焦するようにセットされる。固体撮像素子10の駆動入力112 および114 が同期信号発生器20の駆動出力に接続され、その映像信号出力102 が撮像系信号処理部12に接続されている。固体撮像素子10は、同時撮影制御回路27から制御線126 を通して送られてくる指示信号（本実施例では図４ｄと逆極性の信号）により、その駆動入力112 から高速シャッタ時間（例えば1/2000秒）の駆動信号（図４ｃ）を入力し、その電子シャッタを全開状態にしてそのセルアレイを露光して被写体画像に応じた電荷をそれに蓄積し、その駆動入力114 からの駆動クロックに応動してその蓄積したR、G およびB の電荷に応じた１フレームのカラ−の映像信号をその出力102 から出力する。なお、固体撮像素子10は、本実施例では１フレームの映像信号を出力するようにしたが１フィールドの映像信号を出力するのでよい。
【００２８】
この１フレームの映像信号を読み出すときのライン数をカウントするラインカウンタのタイミングが便宜上アナログ的な形で図４ｇに示されている。この場合のライン数は本実施例ではトータルが525 本のNTSC方式であるから、たとえば第１および第２フィールドの垂直帰線消去期間を合わせた期間の42本のラインを除く483 本である。このライン数は、後述する同期信号発生器20内に構成されるラインカウンタ20c で計数され、このラインカウンタ20c はラインを483 本数える483 進のカウンタでよい。
【００２９】
撮像系信号処理部12はその入力102 に入力される、固体撮像素子10のフイルタ配列によるR、G およびB の映像信号を、サンプルホールドして色分離し、色成分信号R、G、B とする色成分信号作成機能および色成分信号R、G、B を輝度信号Ｙおよび色差信号R-Y、B-Y とするマトリックス機能を有する。信号処理部12はまた、たとえば白バランスの調整およびγ補正等の必要な映像信号処理をこれに施す機能を有する。このような処理を行なうための水平および垂直同期信号などを含む制御信号は、同期信号発生器20から制御線116 を介して供給される。この信号処理部12の出力104 は、A/D 変換器14に入力される。
【００３０】
A/D 変換器14は、その入力118 からのサンプリングパルスによりその入力104 のアナログ形式の映像信号をサンプリングし、例えば８ビットの対応するディジタルデータに変換してその出力106 に出力する信号変換回路である。このAD変換に必要なサンプリングパルスなどは同期信号発生器20から制御線118 を介して供給される。A/D 変換器14の出力106 はフレームメモリ16に入力される。
【００３１】
フレームメモリ16は、本実施例では、少なくとも１コマ、すなわち１フレームの映像信号データを一時蓄積する記憶容量を有するRAM で構成されており、A/D 変換器14からのディジタル化された映像信号データ106 をこれに書き込む。またこのフレームメモリ16は、記録・再生装置３へ記憶する速度にて、蓄積された映像信号データを読み出して出力108 に出力する。この場合の書込み、および読出し用のアドレスやクロックなどを含む制御信号は、メモリコントローラ22から制御線120 を通して受ける。なお、上記１コマは、１フィールドの映像信号データでもよく、その場合、メモリ16は１フィールドの映像信号データを一時蓄積する記憶容量でよい。
【００３２】
メモリコントローラ22は、メモリ16への書込みおよび読出しを行なうときのライン数をカウントするアドレスカウンタ22a を有し、そのカウントタイミングが便宜上アナログ的な形で図４ｈおよびｉに示されている。この場合のアドレスカウンタ22a は前述の固体撮像素子10から映像信号を読み出す場合と同じライン数の483 本を数える483 進のカウンタでよい。フレームメモリ16の出力108 はD/A 変換器18に入力される。
【００３３】
D/A 変換器18は、入力108 から入力する映像信号データＹ、R-Y、B-Y を対応するアナログ値にて表される映像信号に変換し出力110 に出力する信号変換回路である。このDA変換に必要なサンプリングパルスなどを含む制御信号は、同期信号発生器20から制御線122 を介して供給される。D/A 変換器18の出力110 は、後述する記録・再生装置３に入力される。
【００３４】
同期信号発生器20は、同時撮影制御回路25から制御線126 を介して送られてくる指示信号（図４ｄの逆極性の信号に相当）に応動して図４ｃに示すような高速シャッタ時間の駆動信号を生成するシャッタ制御回路20a を有し、これにて生成した駆動信号112 を出力する。この駆動信号112 は、具体的には、図４ｃに示すように図４ａのパルスの立ち下がりの時刻t0にて低レベルになり時刻t1で高レベルになる信号である。この場合のt0からt1までの時間twは、電子シャッタの全開の時間すなわち露光時間であって、たとえば1/2000秒(0.5msec) である。
【００３５】
この同期信号発生器20は、また、安定な周波数で自走する基準発振器20b などを有し、上記シャッタ制御回路20a からの駆動信号または同時撮影制御回路27からの指示信号に応動して、固体撮像素子10の読み出し駆動に必要な水平および垂直駆動クロックを基に生成した駆動信号114 、信号処理部12の処理に必要な水平および垂直同期信号などの出力信号116 、A/D 変換器14およびD/A 変換器18にそれぞれ、必要なサンプリングパルス118 および122 、ならびにフレームメモリ16のデータの書込みおよび読出しに必要なアドレスやクロックなどを生成するためのサンプリングパルスや水平同期信号や垂直同期信号などを含む各種同期信号124 を出力する。
【００３６】
上述からわかるように、本実施例は特に、出力112 から出力される高速シャッタ時間の駆動信号は、出力114、116、118、122、および124 から出力される各種信号と同期状態にない。つまり、たとえば撮影の露光タイミング（図４ｃ）とその撮影された映像信号を読み出すタイミング（図４ｇ）は完全に非同期状態になっている。したがって、露光タイミングは基準信号と同期をとらないから、そのために露光タイミング（図４ｃ）の遅延（タイムラグ）は生じない。また、発光パルス（図４ｄ）と露光タイミング（図４ｃ）の間にもタイムラグがない。
【００３７】
メモリコントローラ22は、その入力124 から各種同期信号を受けて、フレームメモリ16へのデータの書込みおよび同フレームメモリ16からのデータの読出し制御に必要な様々なタイミング信号、例えば書込み読出しアドレス、書込みイネーブル、チップセレクトおよびクロックなどを作成してその出力120 に出力する制御回路である。
【００３８】
電子カメラ２の同時撮影制御回路27の内部構成を図３に示す。同図を参照すると、この制御回路27は、銀塩カメラ１と電子カメラ２による同時撮影モードのとき（制御線148 および150 がともに低レベルの信号「０」）は、ストロボ制御回路32からの発光パルス142 を極性反転したパルスを信号線126 を介して同期信号発生器20と、信号線152 を介してコントローラ25とに送る回路であり、また単独撮影モードのとき（制御線148 が低レベルの信号「０」、制御線150 が高レベルの信号「１」）は、コントローラ25からの撮影指示信号152 を極性反転したパルスを同期信号発生器20に送る回路であり、オープン・コレクタ２入力ナンドゲート27a （たとえばインテル製モデル7403) およびオープン・コレクタ３ステートバストランシーバ27b （たとえばインテル製モデル74LS642)を有している。
【００３９】
これら本装置の各部はシステムコントローラ25によって制御される。この電子カメラ２はシャッタレリーズボタン28およびモード選択ボタン29を有し、それらの出力154 および156 は、コントローラ25の対応する入力ポートに接続されている。シャッタレリーズボタン28は、電子カメラ２による単独撮影用のボタンであり、そのボタンの押下によりシャッタレリーズ信号152 がコントローラ25に供給され、電子カメラ２による単独の撮影が行なわれる。モード選択ボタン29は、銀塩カメラ１と電子カメラ２とによる同時撮影モードと電子カメラ２による単独撮影モードを選択するボタンであり、そのボタンの押下によりモード選択信号156 がコントローラ25に供給される。単独撮影モードが選択された場合には出力156 からは低レベルの信号すなわち「０」が、同時撮影モードが選択された場合には出力156 からは高レベルの信号すなわち「１」がそれぞれ出力される。
【００４０】
システムコントローラ25は本実施例ではやはりマイクロコンピュータ、つまりCPU(Central Processing Unit)などの処理システムにて有利に構成され、その入力156 に入力するモード選択信号が「０」、つまり単独撮影モードを受信した場合に、シャッタレリーズボタン28の押下により制御線154 を通して送られてくるシャッタレリーズ信号に応動して装置全体の動作を制御する制御機能部である。本実施例では特に、モード選択信号「０」を受信した場合にはその出力148 および150 から低レベルの信号「０」を出力し、また「１」を受信した場合には、その出力148 から低レベルの信号「０」を、出力150 から高レベルの信号「１」をそれぞれ出力する。本実施例では特に、モード選択信号「０」を受信した後にシャッタレリーズ信号154 を受信した場合にはその出力152 から単独撮影を指示する指示信号（図４ｄの信号に相当）を出力する。
【００４１】
このコントローラ25は、その入力156 に入力するモード選択信号が「１」、つまり同時撮影モードを受信した場合に、同時撮影制御回路27から信号線152 を通して送られる指示信号（図４ｄの逆極性の信号に相当）に応動して本装置全体の動作を制御する制御機能部でもある。この信号線152 は、本実施例では特に、同時撮影制御回路27からコントローラ25へ同時撮影を指示する指示信号と、コントローラ25から同時撮影制御回路27へ単独撮影を指示する指示信号の両方の信号が通る線で、基本的には１本の線で構成され、CPU の対応する一つの入出力ポートに接続される。
【００４２】
このコントローラ25は、ストロボ発光用の発光パルスを生成する機能を有し、装置内部のストロボ（図示せず）が「ON」「OFF」 どちらの状態かを知り、「ON」であり、モード選択信号「０」を受信した後にシャッタレリーズ信号154 を受信し場合には、その出力158 から生成した発光パルスをその内部ストロボに送る。またコントローラ25は、内部ストロボが「ON」の状態であり、モード選択信号「１」を受信した後に指示信号152 を受信した場合には、その出力158 からその生成した発光パルスを送る。
【００４３】
図１を参照すると、記録・再生装置３は記録系信号処理部40、記録部42および再生系信号処理部44から構成され、記録系信号処理部40の入力110 は、電子カメラ２のD/A 変換器18の出力110 と接続されている。記録系信号処理部40は、入力110 から入力するアナログ映像信号Ｙ、R-Y、B-Yを記録媒体に記録するための記録信号に処理する回路である。この信号処理部40は、本実施例では入力110 に現れた映像信号の輝度信号Ｙを周波数変調した信号と、線順次に現れた色差信号R-Y および B-Yを周波数変調した信号とを合成して磁気ディスクに記録する記録信号を生成する。信号処理部40は、生成した記録信号を出力132 に出力する。信号処理部40の出力132 は、記録部42に入力される。
【００４４】
記録部42は、記録系信号処理部40にて生成した記録信号を記録媒体に記録する機能部である。本実施例では、記録部42は、制御入力138 に供給されるシステムコントローラ25からの制御信号に応動して、入力132 に入力した記録信号を磁気ヘッドなどの記録変換部材（図示せず）により磁気ディスクに記録する。またこの記録部42は、記録媒体に記録された信号を読み出す機能を有し、記録媒体から読み出した記録信号を出力134 に出力する。
【００４５】
記録部42の出力134 は再生系信号処理部44に接続され、再生系信号処理部44は記録部42にて読み出された記録信号から本実施例ではNTSC方式のカラー映像信号を再生する。信号処理部44は、再生したNTSC方式のカラー映像信号を出力136 に出力する。信号処理部44の出力136 はモニタ装置４に接続され、モニタ装置４は信号処理部44にて再生されたNTSC方式のカラー映像信号の映像を表示する。
【００４６】
動作を説明する。図１および２に示すように、銀塩カメラ１および電子カメラ２の双方により、たとえば同じ被写体Ｙを同時にストロボ撮影を行なう場合、まず、操作者によりモード選択ボタン29が操作されて同時撮影モードが選択され、続いて、レリーズボタンユニット30のボタン30a が押されると、このレリーズボタンユニット30から図４ａに示すタイミングのシャッタレリーズ信号128 が銀塩カメラ１のストロボ制御回路32およびシャッタ制御回路36に送られる。シャッタ制御回路36は、このシャッタレリーズ信号128 の立ち下がりに応動して、この例では図４ｂに示す1/60秒より短いシャッタ時間の駆動信号をシャッタ38に送り全開状態にし、またストロボ制御回路32はシャッタレリーズ信号128 の立ち下がりに応動して、この例では図４ｄに示す発光継続時間tsの発光パルス142 をストロボ34および電子カメラ２の同時撮影制御回路27に送り、これにより、銀塩カメラ１のフィルムを露光して被写体Ｙのストロボ撮影を行なう。
【００４７】
同時に、電子カメラ２の制御回路27も発光パルス142 に応動して、その極性反転した撮影指示信号126 を同期信号発生器20に、またその極性反転した指示信号126 と同じタイミングの撮影指示信号152 をコントローラ25に出力する。指示信号152 を受けたコントローラ25は、撮影および再生開始制御などを含む装置全体の制御を行なう。指示信号126 を受けた同期信号発生器20は、その内部のシャッタ制御回路20a によって図４ｃの駆動信号112 を生成し、これを固体撮像素子10に出力供給し、また、その内部の基準発振器20b を含む回路によって固体撮像素子10の駆動クロック114 を生成し、これを固体撮像素子10に供給する。この場合駆動信号112 と駆動クロック114 とは非同期であり、この駆動クロック114 はこの例では駆動信号112 （図４ｃ）のパルスの立ち上りの時刻t1の後に最初に現われる水平同期信号S0（図４ｆ）のタイミングにより開始され、それに同期した、たとえば周波数が14.3MHz の信号である。
【００４８】
これにより被写体Ｙの撮影が行なわれる。すなわち、固体撮像素子10の駆動入力112 から入力される駆動信号によりその電子シャッタが全開され、そのセルアレイには、露光された被写体画像に応じた電荷が蓄積される。続いて、駆動入力114 から入力される駆動クロックによりその蓄積された電荷に応じた１フレームの映像信号が読み出され、その出力102 が撮像系信号処理部12に出力される。この場合は、同期信号発生器20内に設けられた483 進ラインカウンタのタイミング（図４ｇ）と並行して動作する駆動クロック114 により、固体撮像素子10から１フレームの有効な483 本の映像信号102 が読み出され、撮像系信号処理部12に送られる。撮像系信号処理部12は、入力した映像信号102 を色分離等の信号処理により輝度信号Ｙ、色差信号R-Y、B-Y を生成し、その出力104 をA/D 変換器14に送る。A/D 変換器14は入力したそれらの信号をディジタル信号に変換し、その出力106 をフレームメモリ16に出力する。
【００４９】
フレームメモリ16は、入力した信号をその制御入力120 から入力するメモリコントローラ22からの書き込み制御信号により一旦蓄積し、同制御入力120 から入力するメモリコントローラ22からの読み出し制御信号によって出力108 に出力する。この場合、書き込みは書き込み用483 進ラインカウンタの図４ｈに示す歩進値Y0に同期して行なわれ、また、読み出しは読み出し用483 進ラインカウンタの図４ｉに示す歩進値Y1に同期して行なわれる。フレームメモリ16に記憶された信号は、メモリコントローラ22からの読み出し制御信号によって読み出され、D/A 変換器18に入力される。D/A 変換器18は、入力した信号をアナログの輝度信号Ｙと線順次の色差信号R-Y、B-Y に変換し、その出力110 を記録・再生装置３の記録系信号処理部40に出力する。
【００５０】
記録系信号処理部40は、入力する輝度信号Ｙを周波数変調した信号と、線順次に入力する色差信号R-Y、B-Y を周波数変調した信号とを合成して記録信号を生成し、その出力132 を記録部42に送る。記録部42は制御入力138 に供給されるシステムコントローラ25からの制御信号に応動して、入力した記録信号を磁気ディスクに記録する。続いて、操作者の操作によって記録部42に記録された信号が読み出され、その出力134 が再生系信号処理部44に出力される。再生系信号処理部44は、読み出した記録信号からNTSC方式のカラー映像信号を再生し、その出力136 をモニタ装置４に出力する。モニタ装置４は、入力した被写体Ｙを表わすNTSC方式のカラー映像信号の映像を表示する。
【００５１】
このように、本実施例では、電子カメラ２は、ボタン30a の押下によるシャッタレリーズ信号128 に基づく発光パルス142 の入力に同期してその固体撮像素子10の電子シャッタを全開し、被写体Ｙの１フレームのストロボ撮影を行ない、また、銀塩カメラ１は、同シャッタレリーズ信号128 の入力に同期してそのシャッタ38を全開にするとともに、そのストロボ34も発光し、そのフィルムを露光して被写体Ｙのストロボ撮影を行なう。電子カメラ２はさらに、これに続いてすぐに、発光パルス142 とは同期状態にない駆動クロック114 によりこの撮影による１フレームの映像信号をその固体撮像素子10から読み出して記録・再生装置３に蓄積する。また、必要な時に、記録・再生装置３は、蓄積した映像信号を読み出してモニタ装置４に送る。モニタ装置４は、その読み出した映像信号の映像を表示する。このように構成すれば、銀塩カメラ１と電子カメラ２のどちらも、シャッタレリーズボタンユニット30のボタン30a の押下によるシャッタレリーズ信号128 に基づく発光パルス142 に同期した露光タイミングで被写体Ｙの撮影を行なうことができる。したがって、タイムラグのない同じタイミングの静止画像を得ることができる。このシステムは、写真館などで銀塩カメラ１のフィルムの現像の前に電子カメラ２による静止画像をモニタ装置４で見ることができ、効果的にその静止画像の良否の判定ができる。
【００５２】
次に、電子カメラ２単独による被写体Ｙのストロボ撮影の動作を説明する。まず、操作者によりモード選択ボタン29が操作されて単独撮影モードが選択され、続いてシャッタレリーズボタン28が押されると、このレリーズボタン28からレリーズボタン30と同じタイミングのシャッタレリーズ信号154 （図４ａ）がシステムコントローラ25に送られたとする。このシャッタレリーズ信号154 を受けたコントローラ25は撮影および再生開始制御などを含む装置全体の制御を行なうとともに、発光パルス158 を内部ストロボに送る。このコントローラ25はまた、このシャッタレリーズ信号154 の立ち下がりに応動して、この例では図４ｄに示すタイミングと同じ撮影指示信号152 を同時撮影制御回路27に送る。この制御回路27は撮影指示信号152 の極性を反転した撮影指示信号126 を同期信号発生器20に送る。これ以降の動作は、同時撮影モードの場合と同じであり説明を省略する。なお図１は発光パルス142 に同期して同時撮影を行なうシステムであるが、たとえば発光パルス142 の代わりに、シャッタレリーズボタンユニット30から発光パルス142 と同じようなシャッタレリーズ信号128 を同時撮影制御回路27に供給し、シャッタレリーズ信号128 に同期して同時撮影を行なうシステムにしてもよい。なおこの場合、双方のストロボを発光させない「OFF」 にしておけば通常撮影モードによる撮影を行なうことができる。
【００５３】
図５および６には本発明の第２の実施例が示されている。図５および６を参照するとわかるように、図１および２と相違するところは、銀塩カメラ１と電子カメラ２との間には制御線142 が無く、電子カメラ２には、ストロボ同期ユニット26が追加され、このストロボ同期ユニット26は同時撮影制御回路27に接続されている点である。なお、これら図５および６において、図１および２に示す構成要素と同じ要素は同じ参照符号で示されている。
【００５４】
上述の相違からわかるように、図１および２は、シャッタレリーズボタンユニット30のボタン30a の押下により銀塩カメラ１のシャッタ38の全開とストロボ34の発光を行なうと同時に、その押下に基づく発光パルス142 が銀塩カメラ１から電子カメラ２に供給され電子カメラ２のシャッタの全開を行なって銀塩カメラ１と電子カメラ２によるストロボ同時撮影を行なう実施例である。それに対し、図５および６は、シャッタレリーズボタンユニット30のボタン30a の押下により銀塩カメラ１のシャッタ38の全開とストロボ34の発光を行なうと同時に、その押下に基づく銀塩カメラ１のストロボ34の発光による反射光144 を電子カメラ２のストロボ同期ユニット26で受け、これから出力されるストロボ同期パルス146 によりそのシャッタの全開を行なって銀塩カメラ１と電子カメラ２によるストロボ同時撮影を行なう実施例である。図５および６の場合の電子カメラ２も図１および２の場合の電子カメラ２と同様に、ストロボ撮影による１フレームの映像信号を記録・再生装置３に出力してその映像信号を蓄積し、この蓄積した映像信号を記録・再生装置３で再生して、その再生した映像信号の映像をモニタ装置４に表示する。また、銀塩カメラ１もストロボ撮影による映像をその銀塩フィルムに記録する。
【００５５】
図５に示すように、ストロボ同期ユニット26の出力は、同時撮影制御回路27と制御線146 で接続されている。ストロボ同期ユニット26は、たとえばフォトセンサからなり、ストロボ34の発光による反射光144 を受光して、たとえば図４ｄに示す上述の発光パルス142 と同じタイミングのストロボ同期パルスを出力する回路である。このストロボ同期パルスはその出力146 から出力されて制御回路27に入力される。そして、制御回路27は図１のところで説明したのと同じタイミングのパルスを同期信号発生器20とシステムコントローラ25に送る。
【００５６】
動作を説明する。図５および６に示すように、銀塩カメラ１および電子カメラ２の双方により、たとえば同じ被写体Ｙを同時にストロボ撮影する場合に、操作者により、まずモード選択ボタン29が操作されて同時撮影モードが選択され、続いてボタン30a が押されると、レリーズボタンユニット30から図４ａに示すタイミングのシャッタレリーズ信号128 が銀塩カメラ１のストロボ制御回路32とシャッタ制御回路36に送られる。シャッタ制御回路36は、このシャッタレリーズ信号128 に応動して、図４ｂに示す駆動信号をシャッタ38に送り全開状態にし、またストロボ制御回路32も同シャッタレリーズ信号128 に応動して、図４ｄに示す発光パルス142 をストロボ34に出力し、ストロボ34を発光する。これにより、そのフィルムを露光して被写体Ｙの撮影を行なう。一方、電子カメラ２のストロボ同期ユニット26はストロボ34の発光により反射光144 に同期したストロボ同期パルス146 を同時撮影制御回路27に出力する。制御回路27はこのストロボ同期パルス146 に応動して、撮影指示信号126 を同期信号発生器20の出力し、撮影指示信号152 をシステムコントローラ25に出力する。これ以降の動作については、図１および２に示した実施例と基本的に同じであり説明を省略する。
【００５７】
このように構成すれば、電子カメラ２は、銀塩カメラ１のストロボ34の発光によるストロボ同期パルス146 に同期した露光タイミングで被写体Ｙの撮影を行なうことができ、したがってタイムラグのない静止画像を得ることができる。このシステムもまた、写真館などで銀塩カメラ１のフィルムの現像の前に電子カメラ２による静止画像をモニタ装置４で見ることができ、効果的に静止画像の良否の判定ができる。
【００５８】
本発明の第３の実施例を図７および８に示す。図７および８を参照するとわかるように、図１および２と相違するところは制御線142 の代わりに、図１および２に示すレリーズボタンユニット30と銀塩カメラ１の間を接続していたシャッタレリーズ信号を伝送する制御線128 を電子カメラ２に延長して設け、さらに電子カメラ２から銀塩カメラ１にシャッタ許可信号を伝送する制御線129 が追加されたこと、電子カメラ２にはシャッタ許可信号発生回路21が追加され、これが同期信号発生器20と接続されている点である。また、同図からわかるように、銀塩カメラ１も電子カメラ２もそのストロボを「OFF」 にすると、シャッタによる通常撮影モードになる。なお、これら図７および８において、図１および２に示す構成要素と同じ要素は同じ参照符号で示されている。
【００５９】
図７からわかるように、シャッタ許可信号発生回路21は、銀塩カメラ１からのシャッタレリーズ信号128 と、同期信号発生器20からの垂直同期信号160 と水平同期信号162 とを受けて、それらからシャッタの切れる期間を示す信号を生成する回路であり、生成したシャッタ許可信号を制御線129 を介してレリーズボタンユニット30に送る。シャッタ許可信号発生回路21は、レリーズボタンユニット30で生成したシャッタレリーズ信号128 を外部刺激信号164 として同時撮影制御回路27に出力する。
【００６０】
この許可信号発生回路21の内部構成の一実施例を図９に示す。この発生回路21はＶカウンタ21a、２入力オアゲート21b、インバータ21c、セット・リセットフリップフロップ21d、Ｈカウンタ21e、および微分回路21f から構成される。Ｖカウンタ21a は、電源投入後、その入力160 から入力する垂直同期信号160(図11b)の数を所定数カウンタし、この例では垂直同期信号の２番目の帰線部分Ｂをデコードして出力する回路で、デコードした帰線部分Ｂ( 図11d)を２入力オアゲート21b の一方の入力に送る。垂直同期信号の２番目の帰線部分Ｂをデコードした理由は、この例では、垂直同期信号の１番目の帰線部分Ａから２番目の帰線部分Ｂまでの期間、つまり１フィールドの期間はこの電子カメラ２のメモリなどの初期化（リセット）を行なうためである。なお、初期化にたとえば２フィールドの期間が必要であれば、垂直同期信号の３番目の帰線部分Ｃをデコードするのでよい。
【００６１】
Ｈカウンタ21e は、その入力162 から入力する水平同期信号162 の数を前述した撮像素子10の読出しカウンタの計数値よりも多い計数値をカウンタし、この例では、撮像素子10の読出しカウンタの計数値よりも一つ多い484 番目の水平同期信号をデコードして出力する回路で、デコードした水平同期信号（図11f)を２入力オアゲート21b の他方の入力に送る。なお、撮像素子10から１フィールドの映像信号を読出すのであれば、このデコード値は、たとえば243 番目の水平同期信号をデコードするのでよい。つまり、撮像素子10から映像信号を読み出した後のタイミングであればどのようなタイミングでもよい。
【００６２】
そこで、２入力オアゲート21b は、上記双方の信号のオアをとり、オアをとった信号をその出力からフリップフロップ21d のセット入力端子Ｓに送る。一方微分回路21f は、本実施例ではレリーズボタンユニット30から送られてくるシャッタレリーズ信号128 の後縁を微分する回路で、その微分パルス（図11h)をフリップフロップ21d のリセット入力端子Ｒに送る。フリップフロップ21d は、セットおよびリセット信号に基づきシャッタ許可信号（図11i)をその出力129 から出力する。図11i の高レベルの期間がシャッタの切れる期間を示している。このシャッタの切れる期間は、撮像素子10は基本的にはピニング動作状態になっている。なおこのリセット用のパルスのタイミングは、シャッタレリーズ信号128(図11g)の立ち下がりより少しおくれた時間から露光終了時間までの間であればよい。
【００６３】
図７におけるシャッタレリーズボタンユニット30の内部構成の一実施例を図10に示す。前述した図１および５のシャッタレリーズボタン30は、図10に示すシャッタレリーズ信号発生回路30b の出力が２入力アンドゲート30c を介さずに制御線128 に接続される構成になっているのに対し、図７のレリーズボタンユニット30は、図10に示すように、２入力アンドゲート30c の一方の入力にはシャッタレリーズ信号発生回路30b の出力が、他方の入力には制御線129 が接続され、その制御線129 はシャッタ許可信号発生回路21の出力に接続されている。
【００６４】
２入力アンドゲート30c はその一方の入力からボタン30a の押下に基づくシャッタレリーズ信号発生回路30b からのシャッタレリーズ信号と、その他方の入力からシャッタ許可信号発生回路21からのシャッタ許可信号129 とをそれぞれ入力し、その出力128 から、このシャッタ許可信号129 が許可を行なっている期間、つまり高レベル「１」の期間内に現れたシャッタレリーズ信号を出力するものである。
【００６５】
以上からわかるように、図７の場合と図１および５の場合のシャッタの制御方式を比較すると、図７の場合は、電子カメタ２側からレリーズボタンユニット30側にシャッタ許可信号を送り、それが許可を行なっている期間のみそれに同期してシャッタの切れる仕組みになっているのに対し、図１および５の場合は基本的には、撮像素子10から蓄積した映像信号を読み出している時でもシャッタの切れる仕組みになっている。したがって、シャッタ制御方式としては図７の方が信頼性が高い。また、図10に示す図７のレリーズボタンユニット30は銀塩カメラ１と電子カメタ２の同期撮影用として２入力アンドゲート30c のみが追加されたものであり、従来のような複雑な同期回路ではない。
【００６６】
銀塩カメラ１および電子カメラ２の双方により、たとえば同じ被写体Ｙを電子カメラ２からのシャッタ許可信号に同期させて同時に通常撮影する場合の動作を説明する。まず、操作者により、モード選択ボタン29が操作されて同時撮影モードが選択され、続いて、シャッタ許可信号129 （図11i)が許可を行なっている期間、つまり高レベル「１」の期間にレリーズボタンユニット30のボタン30a が押されると、このレリーズボタン30は、図11g に示すタイミングのシャッタレリーズ信号128 を銀塩カメラ１のストロボ制御回路32とシャッタ制御回路36に送る。シャッタ制御回路36は、このシャッタレリーズ信号128 に応動して、図４ｂに示す駆動信号をシャッタ38に送り全開状態にし、そのフィルムを露光して被写体Ｙの撮影を行なう。ストロボ制御回路32は、操作者により予めストロボが「OFF」 されているので動作せず、したがって、ストロボ34は発光しない。また同時にこのシャッタ許可信号129 に同期したシャッタレリーズ信号128 が電子カメラ２の同時撮影制御回路27にも送られており、この制御回路27は、このシャッタレリーズ信号128 に応動して、撮影指示信号126 を同期信号発生器20に出力し、撮影指示信号152 をシステムコントローラ25に出力する。これ以降の動作については、図１および２に示した実施例と基本的に同じであり説明を省略する。
【００６７】
なお、固体撮像素子10およびモニタ装置４は、NTSC方式に限定するものではなく、たとえばPAL、SECAM およびハイビジョンなどの他の方式でもよい。フレームメモリ16の記憶容量は、１フレームに限定するものではなくたとえばそれ以上とし、多くの静止画を蓄積できるようにし、書き込み読み出しを連続的に行なえるようにしてもよい。記憶・再生装置３は、本実施例では磁気ディスクとしたがディジタル信号が直接蓄積および読み出しのできる半導体メモリとし、フレームメモリ16からのディジタル信号を蓄積するように構成してもよい。電子シャッタ時間、すなわち露光時間については、1/2000秒(0.5msec) に限定されることはなくたとえばそれ以下でも以上でも固体撮像素子10に適合する範囲であればよい。
【００６８】
なお、本実施例では電子カメラ２と記憶・再生装置３とモニタ装置４とを別々にしたシステム構成としたが、電子カメラ２と記憶・再生装置３とを一つに構成しても、電子カメラ２と記憶・再生装置３とモニタ装置４とを一つに構成してもよい。また、電子カメラ２とストロボ同期ユニット26を一体化構成としたがそれらを別々にする構成でもよい。また、駆動クロック114 は、本実施例では、駆動信号112 （図４ｃ）のパルスの立ち上りの時刻t1から後に最初に現われる水平同期信号S0（図４ｆ）のタイミングにより開始するとしたが、このS0以降の、たとえば所定の数の水平同期信号の後の水平同期信号のタイミングでもよい。また、本実施例におけるシャッタレリーズボタンユニット30は、銀塩カメラ１および電子カメラ２の両方に共通のものを外部に設けたものでよく、また、銀塩カメラ１に既に設けられているものを利用するのでよい。上記実施例では銀塩カメラ１と電子カメラ２による同時撮影のシステムについて説明したが、銀塩カメラ１を電子カメラ２とは別の電子カメラとし、二つの電子カメラによる同時撮影のシステムでよく、また銀塩カメラ１を電子カメラ以外のカメラにしてもよい。
【００６９】
【発明の効果】
以上説明したように、本発明による電子カメラによれば、シャッタ制御手段は第２のレリーズ手段からのレリーズ信号に同期した第３の駆動信号を銀塩カメラのシャッタに供給してこのシャッタを開放状態にして銀塩カメラのフィルムの露光を行なう。同時撮影制御手段は、この第２のレリーズ信号を同時に受け、制御手段から同時撮影を示す選択信号を受けているからこの第２のレリーズ信号を第１の制御線に出力する。同期信号発生手段は、第１の制御線上に現れた第２のレリーズ信号を受け、基準信号発生手段の同期信号に同期しない、この第２のレリーズ信号に同期した第１の駆動信号を撮像手段に供給する。これにより撮像手段の電子シャッタを開放状態にし、被写体に応じた電荷をこの撮像手段のセルアレイに蓄積する。このように、電子シャッタのシャッタタイミングを基準信号発生手段の同期信号に同期させないので、そのためによるタイムラグは生じないという効果がある。また、制御手段は、電子カメラにより単独撮影を行なうときに第３のレリーズ信号を出力するのと同じ第２の制御線上に現れた第２のレリーズ信号を受信するので、タイムラグなく効果的に電子カメラ全体の制御を行なうことができる。
【００７０】
本発明の電子カメラはまた、ストロボ制御手段はシャッタ制御手段から第２のレリーズ信号を受けた時に発光手段に発光信号を供給して発光し銀塩カメラのフィルムの露光を行なう。同時撮影制御手段はこの発光信号を同時に受け、制御手段から同時撮影を示す選択信号を受けているからこの発光信号を第１の制御線に出力する。同期信号発生手段は、第１の制御線上に現れた発光信号を受信し、基準信号発生手段の同期信号に同期しない、この発光信号に同期した第１の駆動信号を撮像手段に供給する。これにより撮像手段の電子シャッタを開放状態にし、被写体に応じた電荷をこの撮像手段のセルアレイに蓄積する。この撮像手段のセルアレイには、銀塩カメラのフィルムをストロボ露光する発光タイミングで映像信号が蓄積される。またこの発光タイミングは、発光手段の発光による発光同期手段からの発光同期信号でもよい。このように、電子シャッタのシャッタタイミングを基準信号発生手段の同期信号に同期させないので、そのためのタイムラグは生じないという効果がある。また、制御手段は、第２の制御線上に現れた発光信号を受信するので、タイムラグなく効果的に電子カメラのストロボに発光信号を出力するとともに、電子カメラ全体の制御を行なうことができる。
【００７１】
本発明の電子カメラはまた、第２のレリーズ手段は、許可信号発生手段からの許可信号により許可を受けたこの許可信号に同期した第２のレリーズ信号をシャッタ制御手段および同時撮影制御手段に出力する。シャッタ制御手段は第２のレリーズ信号に同期した第３の駆動信号を銀塩カメラのシャッタに供給してこのシャッタを開放状態にして銀塩カメラのフィルムの露光を行なう。同時撮影制御手段はこの第２のレリーズ信号を同時に受け、制御手段から同時撮影を示す選択信号を受けているからこの第２のレリーズ信号を第１の制御線に出力する。同期信号発生手段は第１の制御線上に現れた第２のレリーズ信号を受信し、基準信号発生手段の同期信号に同期しない、この第２のレリーズ信号に同期した第１の駆動信号を撮像手段に供給する。これにより撮像手段の電子シャッタを開放状態にし、被写体に応じた電荷をこの撮像手段のセルアレイに蓄積する。このように、電子シャッタのシャッタタイミングを基準信号発生手段の同期信号に同期させていないので、そのためのタイムラグは生じないという効果がある。また、制御手段は、第２の制御線上に現れた許可信号に同期した第２のレリーズ信号を受信するので、タイムラグなく効果的に電子カメラ全体の制御を行なうことができる。またこの第２のレリーズ手段は、許可信号発生手段からの許可信号が許可を示しているときにこれに同期して単に第２のレリーズ信号を通す回路であり、複雑な同期回路を必要としないという効果がある。
【００７２】
上記のような同時撮影方式によればまた、写真館などで銀塩カメラのフィルムの現像の前に電子カメラによる静止画像をモニタで見ることができ、効果的にその静止画像の良否の判定を行なうことができる。
【図面の簡単な説明】
【図１】銀塩カメラと同時撮影のできる第１実施例の電子カメラの具体的構成を示す機能ブロック図である。
【図２】図１に示す第１実施例の接続関係を示すブロック図である。
【図３】図１に示す第１実施例の同時撮影制御回路の具体的構成を示す機能ブロック図である。
【図４】図１、５および７に示す第１〜３実施例の銀塩カメラと電子カメラの同時撮影により各部に現われる信号波形の例を示すタイムチャートである。
【図５】銀塩カメラと同時撮影のできる第２実施例の電子カメラの具体的構成を示す機能ブロック図である。
【図６】図５に示す第２実施例の接続関係を示すブロック図である。
【図７】銀塩カメラと同時撮影のできる第３実施例の電子カメラの具体的構成を示す機能ブロック図である。
【図８】図７に示す第３実施例の接続関係を示すブロック図である。
【図９】図７に示す第３実施例のシャッタ許可信号発生回路の具体的構成を示す機能ブロック図である。
【図１０】図７に示す第３実施例のシャッタレリーズボタンの具体的構成を示す機能ブロック図である。
【図１１】図７に示す第３実施例の銀塩カメラと電子カメラの同時撮影により各部に現われる信号波形の例を示すタイムチャートである。
【符号の説明】
1   銀塩カメラ
2   電子カメラ
3   記録・再生装置
4   モニタ装置
10  固体撮像素子
12  撮像系信号処理部
14  A/D 変換器
16  フレームメモリ
18  D/A 変換器
20  同期信号発生器
21  シャッタ許可信号発生回路
22  メモリコントローラ
25  システムコントローラ
26  ストロボ同期ユニット
27  同時撮影制御回路
28、30   シャッタレリーズボタン
29  モード選択ボタン
32  ストロボ制御回路
34  ストロボ
36  シャッタ制御回路
38  シャッタ
【図１】
0003725912.tif 000002
【図２】
0003725912.tif 000003
【図３】
0003725912.tif 000004
【図４】
0003725912.tif 000005
【図５】
0003725912.tif 000006
【図６】
0003725912.tif 000007
【図７】
0003725912.tif 000008
【図８】
0003725912.tif 000009
【図９】
0003725912.tif 000010
【図１０】
0003725912.tif 000011
【図１１】
0003725912.tif 000012